(57)【要約】【課題】表示性能を良好にすることができる電気泳動表示装置および電子機器を提供する。【解決手段】本発明の電気泳動表示装置１０は、対向基板１、対向基板１と対向して配置された画素基板２と、対向基板１と画素基板２との間に配置された電気泳動粒子３１が分散された分散媒３０を有する電気泳動層１１と、電気泳動層１１を複数のセル１５に区切る隔壁１４と、を有し、隔壁１４は、対向基板１から画素基板２に向かって延出する第１隔壁１４ａと、画素基板２から対向基板１に向かって延出する第２隔壁１４ｂと、を備え、画素基板２に向かって延出する第１の方向と直交する第２の方向から見たときに、第１隔壁１４ａと第２隔壁１４ｂとが重なる。【選択図】図１
2017198817.tif 000002
【特許請求の範囲】
【請求項１】
第１基板と、
前記第１基板と対向して配置された第２基板と、
前記第１基板と前記第２基板との間に配置された電気泳動粒子が分散された分散媒を有する電気泳動層と、
前記電気泳動層を複数のセルに区切る隔壁と、を有し、
前記隔壁は、前記第１基板から前記第２基板に向かって延出する第１隔壁と、
前記第２基板から前記第１基板に向かって延出する第２隔壁と、を備え、
前記第１基板から前記第２基板に向かって延出する第１の方向と直交する第２の方向から見たときに、前記第１隔壁と前記第２隔壁とが重なることを特徴とする電気泳動表示装置。
【請求項２】
請求項１に記載の電気泳動表示装置において、
前記第１隔壁の前記第１の方向の長さａと前記第２隔壁の前記第１の方向の長さｂとの関係がａ＞ｂであること特徴とする電気泳動表示装置。
【請求項３】
請求項１または請求項２に記載の電気泳動表示装置において、
前記第１隔壁の先端と前記第２基板との間隔ｃが２μｍ以上５μｍ以下であることを特徴とする電気泳動表示装置。
【請求項４】
請求項１ないし請求項３のいずれか１項に記載の電気泳動表示装置において、
前記第２隔壁の先端と前記第１基板との間隔ｄが５μｍ以上１０μｍ以下であることを特徴とする電気泳動表示装置。
【請求項５】
請求項１ないし請求項４のいずれか１項に記載の電気泳動表示装置において、
前記第１隔壁と前記第２隔壁との前記第２の方向から見たときの間隔ｅが前記電気泳動粒子の粒径よりも狭いことを特徴とする電気泳動表示装置。
【請求項６】
請求項１ないし請求項５のいずれか１項に記載の電気泳動表示装置において、
前記第２基板から前記第１基板に向かって延出する第３隔壁を備え、
前記第３隔壁は前記第１隔壁の前記第２隔壁側とは反対側に位置し、
前記第２の方向から見たときに、前記第１隔壁と前記第３隔壁とが重なることを特徴とする電気泳動表示装置。
【請求項７】
請求項６に記載の電気泳動表示装置において、
前記第１隔壁の前記第１の方向の長さａと前記第３隔壁の前記第１の方向の長さｆとの関係がａ＞ｆであること特徴とする電気泳動表示装置。
【請求項８】
請求項６または請求項７に記載の電気泳動表示装置において、
前記第１隔壁と前記第３隔壁との前記第２の方向から見たときの間隔ｇが前記電気泳動粒子の粒径よりも狭いことを特徴とする電気泳動表示装置。
【請求項９】
請求項１に記載の電気泳動表示装置において、
前記第２隔壁の先端は凹部を有し、前記第１隔壁の先端は前記凹部に係合していることを特徴とする電気泳動表示装置。
【請求項１０】
請求項９に記載の電気泳動表示装置において、
前記第１隔壁の先端と対向する前記第２隔壁の先端の凹部との間隔ｈが２μｍ以上５μｍ以下であることを特徴とする電気泳動表示装置。
【請求項１１】
請求項１ないし請求項１０のいずれか１項に記載の電気泳動表示装置において、
前記電気泳動層を囲むように、前記第１基板と前記第２基板とを接合するシール材が配置されていることを特徴とする電気泳動表示装置。
【請求項１２】
請求項１１に記載の電気泳動表示装置において、
前記電気泳動層を囲むように、前記電気泳動層と前記シール材との間に額縁隔壁が配置されていることを特徴とする電気泳動表示装置。
【請求項１３】
請求項１ないし請求項１２のいずれか１項に記載の電気泳動表示装置を備えることを特徴とする電子機器。
【発明の詳細な説明】
【技術分野】
【０００１】
本発明は、電気泳動表示装置および電子機器に関する。
【背景技術】
【０００２】
近年、電源を切っても画像を保持できるメモリー性を有する表示パネルが開発され、電子時計等にも使用されている。メモリー性を有する表示パネルとしては、ＥＰＤ（Ｅｌｅｃｔｒｏｐｈｏｒｅｔｉｃ  Ｄｉｓｐｌａｙ）すなわち電気泳動表示装置や、メモリー性液晶表示装置等が知られている。
電気泳動表示装置としては、特許文献１のように、表示基板と背面基板と隔壁とによって区画された領域内に濃色の帯電粒子を封入した構造のものが知られている。
【先行技術文献】
【特許文献】
【０００３】
【特許文献１】特開２０１５−１７９２０２号公報
【発明の概要】
【発明が解決しようとする課題】
【０００４】
しかしながら、特許文献１に記載の電気泳動表示装置では、高温環境下において、電気泳動粒子を含む分散液（電気泳動層）の熱膨張により、対向基板と隔壁上端との間に隙間が生じる場合がある。隙間が生じた場合には、隙間を介して電気泳動粒子が隣り合うセルへ移動してしまい、その結果として、電気泳動表示装置の表示品質が著しく低下するという課題があった。
【課題を解決するための手段】
【０００５】
本発明の一つの態様は、上記の課題を解決するためになされたものであって、対向基板と隔壁上端との間を分散液が移動するのを抑制することができる電気泳動表示装置とこの電気泳動表示装置を備えた電子機器を提供することを目的とする。
【０００６】
［適用例１］本適用例に係る電気泳動表示装置は、第１基板と、前記第１基板と対向して配置された第２基板と、前記第１基板と前記第２基板との間に配置された電気泳動粒子が分散された分散媒を有する電気泳動層と、前記電気泳動層を複数のセルに区切る隔壁と、を有し、前記隔壁は、前記第１基板から前記第２基板に向かって延出する第１隔壁と、前記第２基板から前記第１基板に向かって延出する第２隔壁と、を備え、前記第１基板から前記第２基板に向かって延出する第１の方向と直交する第２の方向から見たときに、前記第１隔壁と前記第２隔壁とが重なることを特徴とする。
【０００７】
本適用例によれば、第１隔壁と第２隔壁とが重なり合うことで、高温環境下での電気泳動層の熱膨張による隣り合うセルへの電気泳動粒子の移動を抑制することができる。
従って、表示品位が低下しない電気泳動表示装置を提供することができる。
【０００８】
［適用例２］上記適用例に記載の電気泳動表示装置において、前記第１隔壁の前記第１の方向の長さａと前記第２隔壁の前記第１の方向の長さｂとの関係がａ＞ｂであることが好ましい。
【０００９】
本適用例によれば、第１隔壁の第１の方向の長さａと第２隔壁の第１の方向の長さｂとの関係がａ＞ｂであるため、第２隔壁の上端が表示側で視認されない。そのため、表示品位が低下しない電気泳動表示装置を提供することができる。
【００１０】
［適用例３］上記適用例に記載の電気泳動表示装置において、前記第１隔壁の先端と前記第２基板との間隔ｃが２μｍ以上５μｍ以下であることが好ましい。
【００１１】
本適用例によれば、低温環境下での電気泳動層の収縮により第１隔壁の先端と第２基板とが接触せず、分散液が減圧状態にならないため電気泳動層中の気泡発生を抑制することができる。従って、表示品位が低下しない電気泳動表示装置を提供することができる。
【００１２】
［適用例４］上記適用例に記載の電気泳動表示装置において、前記第２隔壁の先端と前記第１基板との間隔ｄが５μｍ以上１０μｍ以下であることが好ましい。
【００１３】
本適用例によれば、電気泳動表示装置の表示面に当った光を電気泳動粒子で散乱させることができるので、電気泳動表示装置の表示品位の低下を防止することができる。
【００１４】
［適用例５］上記適用例に記載の電気泳動表示装置において、前記第１隔壁と前記第２隔壁との前記第２の方向から見たときの間隔ｅが前記電気泳動粒子の粒径よりも狭いことが好ましい。
【００１５】
本適用例によれば、電気泳動粒子のブラウン運動範囲が間隔ｅよりも大きいため、電気泳動粒子の隣り合うセルへの移動を抑制することができる。従って、表示品位の低下を抑制することができる。
【００１６】
［適用例６］上記適用例に記載の電気泳動表示装置において、前記第２基板から前記第１基板に向かって延出する第３隔壁を備え、前記第３隔壁は前記第１隔壁の前記第２隔壁側とは反対側に位置し、前記第２の方向から見たときに、前記第１隔壁と前記第３隔壁とが重なることが好ましい。
【００１７】
本適用例によれば、第１隔壁と第３隔壁とが重なり合うことで、高温環境下での電気泳動層の熱膨張による隣り合うセルへの電気泳動粒子の移動を抑制することができる。従って、表示品位が低下しない電気泳動表示装置を提供することができる。
【００１８】
［適用例７］上記適用例に記載の電気泳動表示装置において、前記第１隔壁の前記第１の方向の長さａと前記第３隔壁の前記第１の方向の長さｆとの関係がａ＞ｆであることが好ましい。
【００１９】
本適用例によれば、第１隔壁の第１の方向の長さａと第３隔壁の第１の方向の長さｆとの関係がａ＞ｆであるため、第３隔壁の上端が表示側で視認されないため、表示品位が低下しない電気泳動表示装置を提供することができる。
【００２０】
［適用例８］上記適用例に記載の電気泳動表示装置において、前記第１隔壁と前記第３隔壁との前記第２の方向から見たときの間隔ｇが前記電気泳動粒子の粒径よりも狭いことが好ましい。
【００２１】
本適用例によれば、電気泳動粒子のブラウン運動範囲が間隔ｇよりも大きいため、電気泳動粒子の隣り合うセルへの移動を抑制することができる。従って、表示品位の低下を抑制することができる。
【００２２】
［適用例９］上記適用例に記載の電気泳動表示装置において、前記第２隔壁の先端は凹部を有し、前記第１隔壁の先端は前記凹部に係合していることが好ましい。
【００２３】
本適用例によれば、第１隔壁と第２隔壁とが重なり合うことで、高温環境下での電気泳動層の熱膨張による隣り合うセルへの電気泳動粒子の移動を抑制することができる。従って、表示品位が低下しない電気泳動表示装置を提供することができる。
【００２４】
［適用例１０］上記適用例に記載の電気泳動表示装置において、前記第１隔壁の先端と対向する前記第２隔壁の先端の凹部との間隔ｈが２μｍ以上５μｍ以下であることが好ましい。
【００２５】
本適用例によれば、低温環境下での電気泳動層の収縮により第１隔壁の先端と前記第２隔壁の先端の凹部とが接触せず、分散液が減圧状態にならないため電気泳動層中の気泡発生を抑制することができる。従って、表示品位が低下しない電気泳動表示装置を提供することができる。
【００２６】
［適用例１１］上記適用例に記載の電気泳動表示装置において、前記電気泳動層を囲むように、前記第１基板と前記第２基板とを接合するシール材が配置されていることが好ましい。
【００２７】
本適用例によれば、第１基板と第２基板とを接合するシール材が配置されていることで、高温環境下で電気泳動層の膨張により第１基板が外れることを抑制することができる。
【００２８】
［適用例１２］上記適用例に記載の電気泳動表示装置において、前記電気泳動層を囲むように、前記電気泳動層と前記シール材との間に額縁隔壁が配置されていることが好ましい。
【００２９】
本適用例によれば、電気泳動層とシール材との間に額縁隔壁が配置されていることで、電気泳動層を塗布する際に、第２隔壁よりも高い額縁隔壁があることで、電気泳動層が額縁隔壁よりも外周へ流出することを防ぐことができる。また、例えば額縁隔壁と第２隔壁とを設けた第２基板に対して額縁隔壁の高さまで電気泳動層で満たした後、この第２基板の上に第１基板を載せて蓋をすることで、２枚の基板を対向配置してシール材で封止ができることから電気泳動表示装置の製造が容易である。
【００３０】
［適用例１３］本適用例に係る電子機器は、上記適用例に記載の電気泳動表示装置を備えることを特徴とする。
【００３１】
本適用例によれば、表示品位に優れた電気泳動表示装置を備えた電子機器が提供できる。
【図面の簡単な説明】
【００３２】
【図１】本発明の第１実施形態に係る電気泳動表示装置の構成を示す概略断面図。
【図２】画素配置の構成例を示す図１のＡ１−Ａ１’線における概略平面図。
【図３】外周部のセルの構造を示す概略断面図。
【図４】図１のＡ部の拡大図。
【図５】本発明の第２実施形態に係る隔壁の構造を示す概略断面図。
【図６】画素配置の構成例を示す図５のＢ１−Ｂ１’線における概略平面図。
【図７】図５のＢ部の拡大図。
【図８】本発明の第３実施形態に係る隔壁の構造を示す概略断面図。
【図９】図８のＣ部の拡大図。
【図１０】本発明の一実施形態に係る電子機器の一例である電子ブックを示す斜視図。
【図１１】本発明の一実施形態に係る電子機器の一例である腕時計を示す斜視図。
【図１２】本発明の一実施形態に係る電子機器の一例である電子ペーパーを示す斜視図。
【発明を実施するための形態】
【００３３】
以下、本発明の実施形態について、図面を参照して説明する。なお、以下の各図においては、各層や各部材を認識可能な程度の大きさにするため、各層や各部材の尺度を実際とは異ならせしめている。
【００３４】
＜電気泳動表示装置＞
（第１実施形態）
まず、本発明の第１実施形態に係る電気泳動表示装置について、図１〜図３を参照して説明する。
図１は、本発明の第１実施形態に係る電気泳動表示装置の構成を示す概略断面図である。図２は、画素配置の構成例を示す図１のＡ１−Ａ１’線における概略平面図である（画素電極は省略）。図３は、外周部のセルの構造を示す概略断面図である。
【００３５】
電気泳動表示装置１０は、図１に示すように、第１基板としての対向基板１と、第２基板としての画素基板２と、対向基板１および画素基板２間に配置される電気泳動層１１と、画素基板２上において複数のセルを有すると共に、そのセルの各々に電気泳動層１１が配置されることにより、電気泳動層１１を複数の収容部（セル）に区切る画素配置４と、電気泳動層１１上に配置された対向電極５と、を備えている。また、電気泳動表示装置１０は、表示領域と、表示領域の外側に設けられた非表示領域を有しており、画素配置４と、電気泳動層１１と、対向電極５と、は表示領域全体に設けられている。
【００３６】
対向基板１は、ガラスやプラスチック等の透明基材から構成され、画像表示側に配置される。対向基板１の電気泳動層１１側には画素基板２に設けられた複数の画素電極１２と対向する平面形状の対向電極５が形成されている。対向電極５は、ＭｇＡｇ、ＩＴＯ、ＩＺＯ（インジウム・亜鉛酸化物）等から形成された透明電極である。
【００３７】
画素基板２は、電気泳動層１１側に設けられた画素電極１２を備えている。画素基板２は、ガラスやプラスチック等からなる基板であり、画像表示面とは反対側に配置されるため透明なものでなくてもよい。画素電極１２は、Ｃｕ箔上にニッケルめっきと金めっきとをこの順で積層したものや、Ａｌ、ＩＴＯ（インジウム錫酸化物）等により形成された電極である。図示は省略しているが、画素電極１２と画素基板２との間には、走査線、データ線、および選択トランジスター等が形成されている。
【００３８】
電気泳動層１１は、分散媒３０と、この分散媒３０中に分散された複数の電気泳動粒子３１とから構成される。本実施形態において、電気泳動粒子３１は、例えば、黒色粒子３１ａおよび白色粒子３１ｂを含む。
【００３９】
黒色粒子３１ａは、例えば、アニリンブラック、カーボンブラック等の黒色顔料からなる粒子（高分子あるいはコロイド）であり、例えば、負に帯電されて用いられる。これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。黒色粒子３１ａの粒径は、例えば３００〜５００ｎｍの範囲内から所望の平均粒径ものを選択して使用すれば良い。
【００４０】
白色粒子３１ｂは、例えば、酸化チタン、亜鉛華、三酸化アンチモン等の白色顔料からなる粒子（高分子あるいはコロイド）であり、例えば、正に帯電されて用いられる。白色粒子３１ｂの粒径は、例えば３００〜５００ｎｍの範囲内から所望の平均粒径ものを選択して使用すれば良い。なお、黒色粒子３１ａおよび白色粒子３１ｂの粒径は、例えば顔料の平均粒径、あるいは電気泳動粒子３１のブラウン運動範囲の大きさである。
【００４１】
分散媒３０としては、例えば、親油性の炭化水素系の溶媒であり、例えば、アイソパー（登録商標）を含む。すなわち、分散媒３０は、例えば、アイソパーＥ、アイソパーＧ、アイソパーＨ、アイソパーＬ、アイソパーＭのうちのいずれか１種類を含む液体、若しくはこれらのうちの２種類以上を混合した液体、あるいは、これらのうちのいずれか１種類以上と他の種類の炭化水素系の溶媒とを混合した液体である。
【００４２】
あるいは、分散媒３０は、例えば、ペンタン、ヘキサン、オクタン等の脂肪族炭化水素類、シクロヘキサン、メチルシクロヘキサン等の脂環式炭化水素類、ベンゼン、トルエン、キシレン、ヘキシルベンゼン、ヘプチルベンゼン、オクチルベンゼン、ノニルベンゼン、デシルベンゼン、ウンデシルベンゼン、ドデシルベンゼン、トリデシルベンゼン、テトラデシルベンゼンのような長鎖アルキル基を有するベンゼン類（アルキルベンゼン誘導体）等の芳香族炭化水素類、ピリジン、ピラジン、フラン、ピロール、チオフェン、メチルピロリドン等の芳香族復素環類、酢酸メチル、酢酸エチル、酢酸ブチル、ギ酸エチル等のエステル類、アセトン、メチルエチルケトン、ジエチルケトン、メチルイソブチルケトン、メチルイソプロピルケトン、シクロヘキサノン等のケトン類、アセトニトリル、プロピオニトリル、アクリロニトリル等のニトリル類、Ｎ，Ｎ−ジメチルホルムアミド、Ｎ，Ｎ−ジメチルアセトアミド等のアミド類、カルボン酸塩、シリコーンオイルまたはその他の各種油類等でもよく、これらを単独または混合物として用いることができる。
【００４３】
画素配置４は、例えば、基部１３と、基部１３上に配置された隔壁１４と、を有する。画素配置４は、接着層（図示せず）を介して画素基板２と貼り付けられている。
ここで、基部１３は、画素配置４の底面を成すものであり、シート状（即ち、平板状）の部材で構成されている。基部１３の厚さに制限はなく、例えば、数μｍ〜数十μｍ程度の薄膜であってもよい。また、隔壁１４は、画素配置４の側壁を成すものであり、電気泳動層１１を複数の収容部に区切るものである。この隔壁１４によって、画素基板２上は複数の空間（すなわち、セル１５）に区画され、これら複数のセル１５の各々に電気泳動層１１がそれぞれ配置されている。本実施形態において、隔壁１４は、対向基板１から画素基板２に向かって延出する第１隔壁１４ａと画素基板２から対向基板１に向かって延出する第２隔壁１４ｂとで構成されている。第１隔壁１４ａおよび第２隔壁１４ｂは、それぞれ基板側の幅と先端側の幅がほぼ等しい柱状構造である。しかし、断面構造がそれぞれ基板側と反対の先端側に向かうにつれて先細るテーパー形状であってもよい。なお、詳細な説明については後述する。
【００４４】
隔壁１４の平面視による形状（以下、平面形状ともいう。）は、例えば、正方格子状、六角格子状、または、三角格子状である。隔壁１４の平面形状が正方格子状の場合は、図２に示すように、セル１５の平面形状は正方形である。
【００４５】
なお、外周部のセル１５の構造は、図３に示すように、外周に面した電気泳動層１１の側面に額縁隔壁５０が備えられ、更に、額縁隔壁５０側面にシール材５２が備えられている。また、額縁隔壁５０の高さは、３０μｍとなるように設定してある。
外周部のセル１５に額縁隔壁５０とシール材５２とが備えているので、高温環境下で電気泳動層１１の膨張により対向基板１が外れることを抑制することができるという効果と、電気泳動層１１とシール材５２との間に額縁隔壁５０が配置されていることで、電気泳動層１１を塗布する際に、第２隔壁１４ｂよりも高い額縁隔壁５０があることで、電気泳動層１１が額縁隔壁５０よりも外周へ流出することを防ぐことができるという効果がある。
【００４６】
次に、電気泳動層１１を複数の収容部に区切る隔壁１４について、図４を参照して説明する。
図４は、図１のＡ部の拡大図である。
隔壁１４は、対向基板１から画素基板２に向かって延出する第１隔壁１４ａと画素基板２から対向基板１に向かって延出する第２隔壁１４ｂとで構成されている。
電気泳動層１１の収容部であるセル１５を構成する第１隔壁１４ａおよび第２隔壁１４ｂとは、図４に示すように、第１隔壁１４ａと第２隔壁１４ｂとが延出する第１の方向と直交する第２の方向から見たときに、第１隔壁１４ａと第２隔壁１４ｂとが重なっている。そのため、隣り合うセル１５に電気泳動粒子３１が移動するのを抑制することができる。
【００４７】
また、第１隔壁１４ａの延出する方向である第１の方向の長さａと第２隔壁１４ｂの延出する方向である第１の方向の長さｂとの関係がａ＞ｂとなっている。そのため、第２隔壁１４ｂの上端が表示側である対向基板１側から視認されないので、表示品位の低下を防止することができる。
【００４８】
また、第１隔壁１４ａの先端と画素基板２との間隔ｃが２μｍ以上５μｍ以下である。そのため、低温環境下での電気泳動層１１の収縮による第１隔壁１４ａの先端と画素基板２とが接触するのを防止でき、分散液が減圧状態にならないため電気泳動層１１中の気泡発生を抑制することができる。なお、間隔ｃが２μｍより小さい場合には、低温環境下での電気泳動層１１の収縮により第１隔壁１４ａの先端と画素基板２とが接触してしまい、間隔ｃが５μｍより大きい場合には、第１隔壁１４ａの延出する第１の方向と直交する第２の方向から見たときの第２隔壁１４ｂとの重なりが、高温環境下での電気泳動層１１の熱膨張によって外れてしまい、電気泳動粒子３１が隣のセル１５へ移動してしまい表示不良を起こす虞がある。
【００４９】
また、第２隔壁１４ｂの先端と対向基板１との間隔ｄが５μｍ以上１０μｍ以下である。そのため、電気泳動表示装置１０の表示面に当った光を電気泳動粒子３１で散乱させることができるので、電気泳動表示装置１０の表示品位の低下を防止することができる。なお、間隔ｄが５μｍより小さい場合には、第２隔壁１４ｂの先端と対向基板１に設けられた対向電極５との間に入り込むことができる電気泳動粒子３１の数が減ってしまうため電気泳動表示装置１０の表示面に当った光の電気泳動粒子３１での散乱が不十分となり、電気泳動表示装置１０の表示品位が低下する。また、間隔ｄが１０μｍより大きい場合には、第２の方向から見たときの第１隔壁１４ａとの重なりが、高温環境下での電気泳動層１１の熱膨張によって外れてしまい、電気泳動粒子３１が隣のセル１５へ移動してしまい表示不良を起こす虞がある。
【００５０】
また、第１隔壁１４ａと第２隔壁１４ｂとの第２の方向から見たときの間隔ｅが電気泳動粒子３１の粒径よりも狭く、０．５μｍ以上１μｍ以下である。そのため、間隔ｅが０．５μｍより小さい場合に生じる、対向基板１と画素基板２とを貼り合わせる際に、第１隔壁１４ａと第２隔壁１４ｂとの間に電気泳動粒子３１が挟まり、貼り合わせ不良が起こることを防止することができる。また、間隔ｅが１μｍより大きい場合に生じる、電気泳動粒子３１がブラウン運動によって第１隔壁１４ａと第２隔壁１４ｂとの間を通り抜け、濃度ムラによる表示不良を起こすことを防止することができる。
【００５１】
以上述べたように、本実施形態に係る電気泳動表示装置１０によれば、以下の効果を得ることができる。
隔壁１４を構成する第１隔壁１４ａと第２隔壁１４ｂとが第２の方向から見たときに、重なっているため、高温環境下での電気泳動層１１の熱膨張による隣り合うセル１５への電気泳動粒子３１の移動を抑制することができる。従って、表示品位が低下しない電気泳動表示装置１０を提供することができる。
【００５２】
また、第１隔壁１４ａの第１の方向の長さａと第２隔壁１４ｂの第１の方向の長さｂとの関係がａ＞ｂであるため、第２隔壁１４ｂの上端が表示側で視認されない。そのため、表示品位が低下しない電気泳動表示装置１０を提供することができる。
【００５３】
また、第１隔壁１４ａの先端と画素基板２との間隔ｃが２μｍ以上５μｍ以下であるため、低温環境下での電気泳動層１１の収縮により第１隔壁１４ａの先端と画素基板２とが接触せず、分散液が減圧状態にならないため電気泳動層１１中の気泡発生を抑制することができる。従って、表示品位が低下しない電気泳動表示装置１０を提供することができる。
【００５４】
また、第２隔壁１４ｂの先端と対向基板１との間隔ｄが５μｍ以上１０μｍ以下であるため、電気泳動表示装置１０の表示面に当った光を電気泳動粒子３１で散乱させることができるので、電気泳動表示装置１０の表示品位の低下を防止することができる。
【００５５】
また、第１隔壁１４ａと第２隔壁１４ｂとの第２の方向から見たときの間隔ｅが０．５μｍ以上１μｍ以下であるため、電気泳動粒子３１のブラウン運動範囲が間隔ｅよりも大きいので、電気泳動粒子３１の隣り合うセル１５への移動を抑制することができる。従って、表示品位の低下を抑制することができる。
【００５６】
（第２実施形態）
次に、本発明の第２実施形態に係る電気泳動表示装置について、図５〜図７を参照して説明する。
図５は、本発明の第２実施形態に係る隔壁の構造を示す概略断面図である。図６は、図５のＢ１−Ｂ１’線における概略平面図である（画素電極は省略）。図７は、図５のＢ部の拡大図である。
なお、本実施形態に係る電気泳動表示装置１０ａについて、第１実施形態と同一の構成部位については、同一の番号を使用し、重複する説明は省略する。
【００５７】
本実施形態の電気泳動表示装置１０ａは、図５に示すように、画素配置４ａにおける隔壁１４０の構成が第１実施形態の隔壁１４の構成と異なる。電気泳動表示装置１０ａは、第１実施形態の隔壁１４の構成に、画素基板２ａから対向基板１に向かって延出する第３隔壁１４ｃを備えている。第３隔壁１４ｃは、第１隔壁１４ａの第２隔壁１４ｂ側とは反対側に配置されている。また、図６に示すように、第２隔壁１４ｂおよび第３隔壁１４ｃは、第１隔壁１４ａに囲まれたセル１５内に配置され、形状はそれぞれ略正方形の枠状である。更に、第２の方向から見たときに、第１隔壁１４ａと第３隔壁１４ｃとが重なる構成である。そのため、隣り合うセル１５に電気泳動粒子３１が移動するのを抑制することができる。
【００５８】
なお、図７において、第１隔壁１４ａの延出する方向である第１の方向の長さをａとし、第３隔壁１４ｃの第１の方向の長さをｆとする。また、第１隔壁１４ａと第３隔壁１４ｃとの第２の方向から見たときの間隔をｇとする。
【００５９】
ここで、第１隔壁１４ａの延出する方向である第１の方向の長さａと第３隔壁１４ｃの延出する方向である第１の方向の長さｆとの関係がａ＞ｆとなっている。そのため、第３隔壁１４ｃの上端が表示側である対向基板１側から視認されないので、表示品位の低下を防止することができる。
【００６０】
また、第１隔壁１４ａと第３隔壁１４ｃとの第２の方向から見たときの間隔ｇが電気泳動粒子３１の粒径よりも狭く、０．５μｍ以上１μｍ以下である。そのため、間隔ｇが０．５μｍより小さい場合に生じる、対向基板１と画素基板２ａとを貼り合わせる際に、第１隔壁１４ａと第３隔壁１４ｃとの間に電気泳動粒子３１が挟まり、貼り合わせ不良が起こることを防止することができる。また、間隔ｇが１μｍより大きい場合に生じる、電気泳動粒子３１がブラウン運動によって第１隔壁１４ａと第３隔壁１４ｃとの間を通り抜け、濃度ムラによる表示不良を起こすことを防止することができる。
【００６１】
以上述べたように、本実施形態に係る電気泳動表示装置１０ａによれば、第１実施形態での効果に加えて、以下の効果を得ることができる。
本実施形態に係る電気泳動表示装置１０ａでは、第１隔壁１４ａと第２隔壁１４ｂに加え、第３隔壁１４ｃを備え、第１隔壁１４ａと第２隔壁１４ｂおよび第３隔壁１４ｃとが第２の方向から見たときに重なりあっているため、高温環境下での電気泳動層１１の熱膨張による隣り合うセル１５への電気泳動粒子３１の移動をより抑制することができる。
【００６２】
また、第１隔壁１４ａの第１の方向の長さａと第３隔壁１４ｃの第１の方向の長さｆとの関係がａ＞ｆであるため、第３隔壁１４ｃの上端が表示側で視認されないため、表示品位が低下しない電気泳動表示装置１０ａを提供することができる。
【００６３】
また、第１隔壁１４ａと第３隔壁１４ｃとの第２の方向から見たときの間隔ｇが０．５μｍ以上１μｍ以下であるため、電気泳動粒子３１のブラウン運動範囲が間隔ｇよりも大きいので、電気泳動粒子３１の隣り合うセル１５への移動を抑制することができる。従って、表示品位の低下を抑制することができる。
【００６４】
（第３実施形態）
次に、本発明の第３実施形態に係る電気泳動表示装置について、図８および図９を参照して説明する。
図８は、本発明の第３実施形態に係る隔壁の構造を示す概略断面図である。図９は、図８のＣ部の拡大図である。
なお、本実施形態に係る電気泳動表示装置１０ｂについて、第１実施形態と同一の構成部位については、同一の番号を使用し、重複する説明は省略する。
【００６５】
本実施形態の電気泳動表示装置１０ｂは、図８に示すように、画素配置４ｂにおける隔壁１４１の構成が第１実施形態の隔壁１４の構成と異なる。電気泳動表示装置１０ｂは、対向基板１から画素基板２ｂに向かって延出する第１隔壁１４ａと、画素基板２ｂから対向基板１に向かって延出する第２隔壁１４ｄとを備えている。第２隔壁１４ｄの先端は、凹部２０を有しており、第１隔壁１４ａの先端が凹部２０に係合している。なお、図９において、第１隔壁１４ａの先端と第２隔壁１４ｄの先端の凹部２０との第１の方向の間隔をｈとする。
【００６６】
ここで、第１隔壁１４ａの先端と第２隔壁１４ｄの凹部２０との間隔ｈが２μｍ以上５μｍ以下である。そのため、間隔ｈが２μｍより小さい場合に生じる、低温環境下での電気泳動層１１の収縮により第１隔壁１４ａの先端と第２隔壁１４ｄの凹部２０とが接触してしまい、分散液が減圧状態にならないため電気泳動層１１中に気泡が発生し、表示不良を起こすことを抑制することができる。また、間隔ｈが５μｍより大きい場合に生じる、電気泳動粒子３１が隣のセル１５への移動による表示不良を抑制することができる。
【００６７】
以上述べたように、本実施形態に係る電気泳動表示装置１０ｂによれば、第１実施形態での効果に加えて、以下の効果を得ることができる。
本実施形態に係る電気泳動表示装置１０ｂでは、第１隔壁１４ａの先端が第２隔壁１４ｄの先端に設けられた凹部２０に係合しているため、高温環境下での電気泳動層１１の熱膨張による隣り合うセル１５への電気泳動粒子３１の移動を抑制することができる。従って、表示品位が低下しない電気泳動表示装置１０ｂを提供することができる。
【００６８】
また、第１隔壁１４ａの先端と対向する第２隔壁１４ｄの先端の凹部２０との間隔ｈが２μｍ以上５μｍ以下であるため、電気泳動粒子３１のブラウン運動範囲が間隔ｈよりも大きいため、電気泳動粒子３１の隣り合うセル１５への移動を抑制することができる。従って、表示品位の低下を抑制することができる。
【００６９】
＜電子機器＞
次に、上述の電気泳動表示装置１０を電子機器に適用した場合について説明する。
図１０〜図１２は、本発明の電気泳動表示装置１０を適用した電子機器の具体例を説明する斜視図である。
図１０は、電子機器の一例である電子ブックを示す斜視図である。
この電子ブック（電子機器）１００は、ブック形状のフレーム１０１と、このフレーム１０１に対して回動自在に設けられた（開閉可能な）カバー１０２と、操作部１０３と、本発明の電気泳動表示装置１０によって構成された表示部１０４と、を備えている。
【００７０】
図１１は、電子機器の一例である腕時計を示す斜視図である。
この腕時計（電子機器）１１０は、本発明の電気泳動表示装置１０によって構成された表示部１１１を備えている。
【００７１】
図１２は、電子機器の一例である電子ペーパーを示す斜視図である。
この電子ペーパー（電子機器）１２０は、紙と同様の質感および柔軟性を有するリライタブルシートで構成される本体部１２１と、本発明の電気泳動表示装置１０によって構成された表示部１２２を備えている。
【００７２】
例えば、電子ブック１００や電子ペーパー１２０等は、白地の背景上に文字を繰り返し書き込む用途が想定されるため、表示ムラの解消が必要とされる。
なお、本発明の電気泳動表示装置１０を適用可能な電子機器の範囲はこれに限定されず、帯電粒子の移動に伴う視覚上の色調の変化を利用した装置を広く含むものである。
【００７３】
以上の電子ブック１００、腕時計１１０、および電子ペーパー１２０によれば、本発明に係る電気泳動表示装置１０が採用されているので、表示ムラが抑制されることで品質の高い表示特性を得ることができる信頼性に優れた高品位の電子機器となる。
【００７４】
なお、上記の電子機器は、本発明に係る電子機器を例示するものであって、本発明の技術範囲を限定するものではない。例えば、携帯電話、携帯用オーディオ機器等の電子機器の表示部や、マニュアル等の業務用シート、教科書、問題集、情報シート等にも、本発明に係る電気泳動表示装置１０を好適に用いることができる。
【符号の説明】
【００７５】
１…対向基板、２，２ａ，２ｂ…画素基板、４…画素配置、５…対向電極、１０，１０ａ，１０ｂ…電気泳動表示装置、１１…電気泳動層、１２…画素電極、１３…基部、１４…隔壁、１４ａ…第１隔壁、１４ｂ…第２隔壁、１４ｃ…第３隔壁、１４ｄ…第２隔壁、１５…セル、２０…凹部、３０…分散媒、３１…電気泳動粒子、３１ａ…黒色粒子、３１ｂ…白色粒子、１００…電子ブック、１０１…フレーム、１０２…カバー、１０３…操作部、１０４…表示部、１１０…腕時計、１１１…表示部、１２０…電子ペーパー、１２１…本体部、１２２…表示部、１４０，１４１…隔壁。
【図１】
2017198817.tif 000003
【図２】
2017198817.tif 000004
【図３】
2017198817.tif 000005
【図４】
2017198817.tif 000006
【図５】
2017198817.tif 000007
【図６】
2017198817.tif 000008
【図７】
2017198817.tif 000009
【図８】
2017198817.tif 000010
【図９】
2017198817.tif 000011
【図１０】
2017198817.tif 000012
【図１１】
2017198817.tif 000013
【図１２】
2017198817.tif 000014